(57)【特許請求の範囲】
【請求項１】
乾燥機本体と、前記乾燥機本体内に取り付けられたプリント基板と、前記プリント基板上に実装され前記プリント基板の傾斜が所定の角度未満である正常状態かまたは所定の角度以上である異常状態かを検知する傾き検知手段と、運転コース等の設定情報が入力される入力設定手段と、前記プリント基板上に実装され前記傾き検知手段および前記入力設定手段からの入力データに基づき乾燥運転を制御する制御手段とを備え、前記制御手段は、乾燥運転開始時において、前記入力設定手段から特定操作がなされていないとき、前記傾き検知手段が異常状態を検知すると、前記乾燥機本体への通電を遮断する通常運転行程を行い、前記入力設定手段から特定の操作がなされたとき、前記傾き検知手段が異常状態を検知しても乾燥機本体への通電を遮断しない検査用運転行程を行い、前記検査用運転行程を一定期間運転すると前記検査用運転行程を終了し、前記検査用運転終了後つぎの乾燥運転時においては、前記傾き検知手段が異常状態を検知すると前記乾燥機本体への通電を遮断する前記通常運転行程を行うようにした衣類乾燥機。
【請求項２】
乾燥機本体への通電を入り切りする電源投入手段を有し、傾き検知手段が異常状態を検知しても前記乾燥機本体への通電を遮断しない検査用運転行程を運転途中に、前記電源投入手段により前記乾燥機本体への通電が遮断されると前記検査用運転行程を終了し、前記検査用運転終了後つぎの乾燥運転時においては、前記傾き検知手段が異常状態を検知すると前記乾燥機本体への通電を遮断する前記通常運転行程を行うようにした請求項１記載の衣類乾燥機。
【発明の詳細な説明】
【０００１】
【発明の属する技術分野】
本発明は、乾燥機本体の傾斜状態を検知する手段をもつ衣類乾燥機に関するものである。
【０００２】
【従来の技術】
一般に、衣類乾燥機では、乾燥機本体が倒れた場合、不安全動作に陥る場合がある。特にガス乾燥機は、ガスを燃焼させて加熱した熱風によって衣類を乾燥させるために、不安全状態に陥る恐れがある。
【０００３】
そのため、従来のガス乾燥機では、乾燥機本体のプリント基板上に傾き検知手段を実装し、この傾き検知手段により乾燥機本体の傾斜状態を検知し、乾燥機本体が倒れていると異常状態にあるとしてそれを報知し、乾燥機本体への通電を自動的に切っていた。
【０００４】
一方、ガス乾燥機には、異常が起こり、正常な運転が行われなかった場合、修理検査員がその異常の原因を究明するために、すべての異常状態を検知できる修理検査用の運転行程を有している。
【０００５】
【発明が解決しようとする課題】
このような従来の構成では、異常が起こった場合、修理検査員は、修理検査用の運転行程での運転をさせながらプリント基板上の検査点の電圧を測定して異常の原因が生じている箇所を特定する。通常、プリント基板は乾燥機本体の前面に垂直に収納しているが、検査の際には乾燥機本体からプリント基板は取り出され、斜めに傾けられて測定が行われる。そのまま運転されると傾き検知手段により異常が検知され、通電がオフし、測定が不可能になる。
【０００６】
本発明は上記課題を解決するもので、傾き検知手段を実装したプリント基板を取り出し斜めになった状態で運転しても、乾燥機本体への通電が切りになることなく運転行程が行われ、修理検査員が効率よく修理検査の作業が進められるようにすることを目的としている。
【０００７】
【課題を解決するための手段】
本発明の衣類乾燥機においては、プリント基板上に実装された傾き検知手段により乾燥機本体の傾斜状態が正常であるかを検知し、制御手段は、傾き検知手段により傾斜状態が異常であると検知したとき乾燥機本体への通電を切りし、運転コース等を設定する入力設定手段の特定の操作によって、傾き検知手段により異常であると検知しても乾燥機本体への通電を切りしない運転行程を設けたものである。
【０００８】
これにより、傾き検知手段を実装したプリント基板を取り出し斜めになった状態で運転しても、乾燥機本体への通電が切りになることなく運転行程が行われ、効率よく修理検査の作業が進めることができる。
【０００９】
【発明の実施の形態】
本発明の請求項１に記載の発明は、乾燥機本体と、前記乾燥機本体内に取り付けられたプリント基板と、前記プリント基板上に実装され前記プリント基板の傾斜が所定の角度未満である正常状態かまたは所定の角度以上である異常状態かを検知する傾き検知手段と、運転コース等の設定情報が入力される入力設定手段と、前記プリント基板上に実装され前記傾き検知手段および前記入力設定手段からの入力データに基づき乾燥運転を制御する制御手段とを備え、前記制御手段は、乾燥運転開始時において、前記入力設定手段から特定操作がなされていないとき、前記傾き検知手段が異常状態を検知すると、前記乾燥機本体への通電を遮断する通常運転行程を行い、前記入力設定手段から特定の操作がなされたとき、前記傾き検知手段が異常状態を検知しても乾燥機本体への通電を遮断しない検査用運転行程を行い、前記検査用運転行程を一定期間運転すると前記検査用運転行程を終了し、前記検査用運転終了後つぎの乾燥運転時においては、前記傾き検知手段が異常状態を検知すると前記乾燥機本体への通電を遮断する前記通常運転行程を行うようにしたものである。
【００１０】
傾き検知手段を実装したプリント基板を取り出し斜めになった状態であっても、乾燥機本体への通電が遮断されることなく運転行程が行われ、修理検査を行う際に途中中断をなくすことができ、効率よく修理検査の作業が進めることができる。さらに、制御手段は、傾き検知手段により傾斜状態が異常であると検知しても乾燥機本体への通電を遮断しない運転行程を一定期間運転すると終了し、運転終了後つぎに行う運転行程では、傾斜状態が異常であると検知したとき乾燥機本体への通電を遮断するようにしたものであり、万一、修理検査員がこの運転行程を終了させ忘れても自動的に終了し、また、次回通常の運転に入ると、傾き検知手段により異常検知したとき乾燥機本体への通電を切りにするので安全性を確保することができる。
【００１１】
請求項２に記載の発明は、上記請求項１に記載の発明において、乾燥機本体への通電を入り切りする電源投入手段を有し、傾き検知手段が異常状態を検知しても前記乾燥機本体への通電を遮断しない検査用運転行程を運転途中に、前記電源投入手段により前記乾燥機本体への通電が遮断されると前記検査用運転行程を終了し、前記検査用運転終了後つぎの乾燥運転時においては、前記傾き検知手段が異常状態を検知すると前記乾燥機本体への通電を遮断する前記通常運転行程を行うようにしたものであり、傾き検知手段によるもの以外の異常検知はすべて正常であると判断すると、即座に、電源投入手段で運転を終了できるので修理検査を効率化することができ、次回通常の運転に入ると、傾き検知手段により異常検知したとき乾燥機本体への通電を遮断するので安全性を確保することができる。
【００１２】
【実施例】
以下、本発明の一実施例を図１から図４を参照しながら説明する。
【００１３】
図２に示すように、乾燥機本体１は、下部に駆動源となるモータ２を設けており、このモータ２と乾燥機本体１の背面側に設けたファン（送風手段）３およびこのファン３の前方に設けた回転ドラム４との間にそれぞれベルト５、６を張設して、モータ２の駆動によりファン３および回転ドラム４を回転させるようにしている。また、乾燥機本体１の前方下部にバーナ（加熱手段）７を配設し、その燃焼量を制御するために比例制御弁８を設けている。
【００１４】
ドラム前板９は、回転ドラム４を前面で回転自在に支持するもので、このドラム前板９の平面部に多数の熱風穴１０を設け、バーナ７の燃焼による熱風を燃焼筒１１により熱風穴１０まで導き、回転ドラム４内に流入させて被乾燥物（衣類）を加熱乾燥する。この回転ドラム４内の熱風は、ファン３によって排気ガイド１２に送り出され、乾燥機本体１の外に排出する。
【００１５】
電極１３は、運転中は回転ドラム４内の衣類に接触する位置に配設されている。この電極１３は一対の導電部材とその間の絶縁部材（いずれも図示せず）により構成され、導電部材間の抵抗値を検出することによって回転ドラム４内の衣類の乾燥状態を検知する。
【００１６】
つぎに、図１に示すように、乾燥検知手段１４は、電極１３や排気温度を検知する排気温度検知手段１５によって回転ドラム４内の衣類の乾燥状態を検知する。傾き検知手段１６は、転倒スイッチ１７の出力により乾燥機本体１の傾きを検知している。電源投入手段１８は、復帰コイル（図示せず）を有する機械式の電源スイッチ１８ａにより構成し、手動で乾燥機本体１への通電、すなわち、モータ２、比例制御弁８などを含み、図１に示す各手段への通電を入り切りできるとともに、復帰コイルに通電することにより乾燥機本体１への通電を切りにできるように構成している。
【００１７】
入力設定手段１９は、運転コースなどを入力設定するもので、図３に示すように、ふんわり切換スイッチ１９ａ、タイマースイッチ１９ｂ、コーススイッチ１９ｃ、スタート一時停止スイッチ１９ｄで構成している。記憶手段２０は情報を保持するもので、通常、不揮発性メモリー等を用いている。
【００１８】
駆動手段２１は、モータ２、バーナ７、比例制御弁８、電源投入手段１８などを制御する。表示手段２２は、図３に示すように、設定された内容などを表示するもので、フィルター目づまり報知ランプ２２ａ、ふんわりキープ表示ランプ２２ｂ、残り時間表示ランプ２２ｃ、コース表示ランプ２２ｄ〜２２ｇ、燃焼表示ランプ２２ｈなどで構成している。
【００１９】
制御手段２３は、入力設定手段１９による入力データに基づき、表示手段２１によりその内容を表示する。また、制御手段２３は、乾燥検知手段１４による乾燥データや排気温度検知手段１５による温度データに基づき、駆動手段２１を介してモータ２、バーナ７、比例制御弁８、電源投入手段１８などを制御する。
【００２０】
転倒スイッチ１７は、図４に示すように、プリント基板２４に実装し、乾燥機本体１内にプリント基板２４が垂直になるように取り付けている。なお、プリント基板２４には、図示していないが図１に示す各手段も実装している。プリント基板２４が垂直の状態、すなわち図４のＡの状態では、転倒スイッチ１７は、接点がオフ状態であり、図４のＢ、Ｃのように垂直を基準として任意の方向へ傾斜させていくと、所定の角度でオン状態となる。通常の運転中は、常に転倒スイッチ１７の状態を傾き検知手段１６に入力し、転倒スイッチ１７がオン状態であると、傾き検知手段１６は、乾燥機本体１が倒れて異常状態にあると検知する。
【００２１】
傾き検知手段１６の出力により乾燥機本体１が倒れていると検知すると、制御手段２３は、モータ２、比例制御弁８などの負荷を停止して運転を停止し、記憶手段２０に異常内容を記憶し、ブザー（図示せず）を吹鳴し、吹鳴中に異常内容を表示手段２２によって表示する。吹鳴後、電源投入手段１８の復帰コイルに通電し、乾燥機本体１への通電を切るという一連の動作を行うように構成している。
【００２２】
また、制御手段２３は、入力設定手段１９の特定の操作によって傾き検知手段１６により異常であると検知しても乾燥機本体１への通電を切りにしない運転行程を設けており、傾き検知手段１６により傾斜状態が異常であると検知しても乾燥機本体１への通電を切りにしない運転行程を運転途中に、入力設定手段１９により傾斜状態が異常であると検知したとき乾燥機本体１への通電を切りにする運転行程に切り換え可能としている。
【００２３】
また、傾き検知手段１６により傾斜手段が異常であると検知しても乾燥機本体１への通電を切りしない運転行程を運転途中に、電源投入手段１８により運転終了可能とし、運転終了後つぎに行う運転行程では、傾斜状態が異常であると検知したとき乾燥機本体１への通電を切りにするようにしている。また、傾き検知手段１６により傾斜状態が異常であると検知しても乾燥機本体１への通電を切りにしない運転行程を一定期間運転すると終了し、運転終了後つぎに行う運転行程では、傾斜状態が異常であると検知したとき乾燥機本体１への通電を切りにするようにしている。
【００２４】
上記構成において修理検査の際の動作について図５から図７を参照しながら説明する。
【００２５】
転倒スイッチ１７は、乾燥機本体１を通常使用しているときは、図５（ａ）に示すように、乾燥機本体１の前面側の操作表示パネルの裏にプリント基板２４が垂直方向に収納されており、このプリント基板２４上に実装している転倒スイッチ１７は水平方向に固定されている。乾燥機本体１を使用中に何らかの異常が発生して、運転が途中で停止した場合、修理検査員がその原因を特定するために、図５（ｂ）のようにプリント基板２４を取り出す。
【００２６】
つぎに、図６に示すように、ステップ２５で電源スイッチ１８ａのオン時に、ふんわり切換スイッチ１９ａ、タイマースイッチ１９ｂの両方がオンされていなければ、ステップ２６で通常の運転を行い、ふんわり切換スイッチ１９ａ、タイマースイッチ１９ｂの両方がオンされていると、ステップ２７ですべての異常を検知すると報知する修理検査用の運転行程での運転を開始する。
【００２７】
この修理検査用の運転行程で動作させながらプリント基板２４上の検査点の電圧を測定し、異常内容を調べる。このとき、図５（ｂ）に示すように、プリント基板２４が水平方向に傾いていると、傾き検知手段１６により異常状態にあると検知し、ブザーを吹鳴し、吹鳴中に異常内容を表示手段２２によって表示し、電源投入手段１８の復帰コイルに通電し、乾燥機本体１への通電を遮断する。
【００２８】
ステップ２８でこの運転を開始して一定期間が経過すると、運転行程を終了する。また、ステップ２９で、この運転途中で電源スイッチ１８ａがオフされると、運転行程を終了する。
【００２９】
つぎに、ステップ３０でふんわり切換スイッチ１９ａがオンされると、ステップ３１で転倒スイッチ１７によるもの以外のすべての異常を検知すると報知する修理検査用の運転行程での運転に切り換える。この運転行程では、プリント基板２４が水平方向に傾いていても、電源投入手段１８の復帰コイルに通電されることがなく、乾燥機本体１への通電は遮断されない。したがって、プリント基板２４の傾斜に関係なくプリント基板２４上の検査点の電圧を測定し、異常内容を調べることができる。
【００３０】
ステップ３２でこの運転を開始して一定期間が経過すると、運転行程を終了する。ステップ３３でこの運転途中で電源スイッチ１８ａがオフされると、運転行程を終了する。ステップ３４でふんわり切換スイッチ１９ａがオンされると、ステップ２６にもどり、すべての異常を検知すると報知する修理検査用の運転行程での運転に切り換える。２つの運転行程は運転途中でも、ふんわり切換スイッチ１９ａがオンされることで交互に切り換えることができる。
【００３１】
現在どちらの運転行程を行っているかを知らせるために、たとえば、残り時間表示ランプ２２ｃで、すべての異常を検知すると報知する修理検査用の運転行程である場合は、図７（ａ）に示すような表示をし、転倒スイッチ１７によるもの以外のすべての異常を検知すると報知する修理検査用の運転行程である場合は、図７（ｂ）のような表示をする。また、一度運転を終了すると、再度運転を開始するときは、ステップ２５からステップ３１に進まない限り、転倒スイッチ１７による異常を検知すると報知し、電源投入手段１８の復帰コイルに通電し、乾燥機本体１への通電を遮断する。
【００３２】
したがって、プリント基板２４を取り出した状態で、修理検査する際は、転倒スイッチ１７によるもの以外のすべての異常を検知すると報知する修理検査用の運転行程を行えば、転倒スイッチ１７による異常報知によっる中断がなくなり、効率よく修理検査の作業が進めることができる。
【００３３】
また、その運転の途中ですべての異常を検知すると報知する修理検査用の運転行程にも容易に切り換えることができ、どちらの運転行程を行っているかも、一目でわかる。また、電源スイッチ１８ａが押された場合、一定期間の運転が終了した場合、これらの運転行程を強制的に終了することができる。また、一度運転を終了して、通常の運転行程を行うときは、転倒スイッチ１７による異常を検知すると、乾燥機本体１への通電を切りにするので安全性を確保することができる。
【００３４】
【発明の効果】
以上のように本発明の請求項１に記載の発明によれば、乾燥機本体と、前記乾燥機本体内に取り付けられたプリント基板と、前記プリント基板上に実装され前記プリント基板の傾斜が所定の角度未満である正常状態かまたは所定の角度以上である異常状態かを検知する傾き検知手段と、運転コース等の設定情報が入力される入力設定手段と、前記プリント基板上に実装され前記傾き検知手段および前記入力設定手段からの入力データに基づき乾燥運転を制御する制御手段とを備え、前記制御手段は、乾燥運転開始時において、前記入力設定手段から特定操作がなされていないとき、前記傾き検知手段が異常状態を検知すると、前記乾燥機本体への通電を遮断する通常運転行程を行い、前記入力設定手段から特定の操作がなされたとき、前記傾き検知手段が異常状態を検知しても乾燥機本体への通電を遮断しない検査用運転行程を行い、前記検査用運転行程を一定期間運転すると前記検査用運転行程を終了し、前記検査用運転終了後つぎの乾燥運転時においては、前記傾き検知手段が異常状態を検知すると前記乾燥機本体への通電を遮断する前記通常運転行程を行うようにしたから、傾き検知手段を実装したプリント基板を取り出し斜めになった状態であっても、乾燥機本体への通電が遮断されることなく運転行程が行われ、修理検査を行う際に途中中断をなくすことができ、効率よく修理検査の作業が進めることができる。
【００３５】
また、制御手段は、傾き検知手段により傾斜状態が異常であると検知しても乾燥機本体への通電を遮断しない運転行程を一定期間運転すると終了し、運転終了後つぎに行う運転行程では、傾斜状態が異常であると検知したとき乾燥機本体への通電を遮断するようにしたから、万一、修理検査員がこの運転行程を終了させ忘れても自動的に終了し、また、次回通常の運転に入ると、傾き検知手段により異常検知したとき乾燥機本体への通電を遮断するので安全性を確保することができる。
【００３６】
また、請求項２に記載の発明によれば、乾燥機本体への通電を入り切りする電源投入手段を有し、傾き検知手段が異常状態を検知しても前記乾燥機本体への通電を遮断しない検査用運転行程を運転途中に、前記電源投入手段により前記乾燥機本体への通電が遮断されると前記検査用運転行程を終了し、前記検査用運転終了後つぎの乾燥運転時においては、前記傾き検知手段が異常状態を検知すると前記乾燥機本体への通電を遮断する前記通常運転行程を行うようにしたから、運転途中でも異常検知についての確認を終えるとその行程を終了することができるので、修理検査を効率化することができ、次回通常の運転に入ると、傾き検知手段により異常検知したとき乾燥機本体への通電を遮断するので安全性を確保することができる。
【図面の簡単な説明】
【図１】  本発明の一実施例の衣類乾燥機のブロック図
【図２】  同衣類乾燥機の断面図
【図３】  同衣類乾燥機の操作表示部の拡大正面図
【図４】  同衣類乾燥機の転倒スイッチの動作説明図
【図５】  （ａ） 同衣類乾燥機の転倒スイッチを実装したプリント基板の乾燥機本体に組み込んだ状態の側面図
（ｂ） 同衣類乾燥機の転倒スイッチを実装したプリント基板の乾燥機本体より取り出した状態の側面図
【図６】  同衣類乾燥機の修理検査用運転行程のフローチャート
【図７】  （ａ）同衣類乾燥機の操作表示部の表示の一例を示す拡大正面図
（ｂ）同衣類乾燥機の操作表示部の表示の他の例を示す拡大正面図
【符号の説明】
１  乾燥機本体
２  モータ
３  ファン（送風手段）
４  回転ドラム
７  バーナ（加熱手段）
１６  傾き検知手段
１８  電源投入手段
１９  入力設定手段
２２  表示手段
２３  制御手段
２４  プリント基板
【図１】
0003757466.tif 000002
【図２】
0003757466.tif 000003
【図３】
0003757466.tif 000004
【図４】
0003757466.tif 000005
【図５】
0003757466.tif 000006
【図６】
0003757466.tif 000007
【図７】
0003757466.tif 000008